(57)【要約】      （修正有）【課題】モップセット及び足踏みモップバケツを提供する。【解決手段】貯水桶１に水を貯めてモップを洗浄する。洗浄が終わったからモップを水切り桶２内の水切り籠に移動させる。ユーザが足踏み機構を踏むことにより、駆動機構が制御されて回転運動を出力し、それで水切り籠を回転させて、ハイスピードの回転による遠心力でモップを乾燥させる。貯水桶１と水切り桶２は別々に設けられ、簡単な機械構成で着脱可能に固定される。水切り桶２を貯水桶１内に設置することで、製品の梱包サイズが縮小されてスペースと搬送コストを大きく削減することができる。二つの桶を着脱可能に連結する機械構成として、貯水桶１の桶壁に少なくとも二つの溝１２が設けられ、一方で水切り桶２の外壁に少なくとも二つの爪２８が設けられている。この爪２８が溝１２に当接される。【選択図】図２
0003191585.tif 000002
【実用新案登録請求の範囲】
【請求項１】
水を貯めるためのタンクを具備する貯水桶と、
前記貯水桶とは別に設けられ、機械構成によって前記貯水桶と着脱可能に固定連結され、前記貯水桶の前記タンクに収容できるサイズと形状を具備する水切り桶と、を備え、
前記水切り桶は、
水切り空間、及び、前記水切り空間とは隔てられた、凹みにより構成される足踏み空間を形成する桶本体と、
少なくとも一部が前記足踏み空間内に収容され、踏まれて駆動する足踏み機構と、
前記足踏み機構と連接され、回転運動を出力する駆動機構と、
前記水切り空間内に設置され、前記駆動機構の動力出力端に連接され、水が付いたものを収容する水切り籠と、を備えることを特徴とする足踏みモップバケツ。
【請求項２】
前記貯水桶と前記水切り桶とを着脱可能に固定連結する機械構成は爪と溝とで構成されており、爪が前記貯水桶と前記水切り桶との少なくとも一方に設けられ、爪と係合する溝がもう一方に設けられていることを特徴とする請求項１に記載の足踏みモップバケツ。
【請求項３】
前記貯水桶の桶壁に少なくとも二つの溝が設けられ、前記水切り桶の外壁に少なくとも二つの爪が設けられ、前記爪と溝が互いに当接していることを特徴とする請求項２に記載の足踏みモップバケツ。
【請求項４】
前記足踏機構がスタンドと、リターンスプリングと、足踏み板とを具備し、前記スタンドが、前記水切り桶の前記足踏み空間の中に固定された基台と、前記基台から延びた弾性アームとを具備し、前記足踏み板が前記弾性アームと連接され、前記リターンスプリングの両端が前記基台と前記弾性アームとにそれぞれに当接していることを特徴とする請求項１から３のいずれか１項に記載の足踏みモップバケツ。
【請求項５】
前記足踏み板がヒンジ軸を介して弾性アームと連結され、前記足踏み板が前記弾性アームに対して揺動し、揺動軌跡における少なくとも1つの位置で前記足踏み板が前記足踏み空間内に収容されることを特徴とする請求項４に記載の足踏みモップバケツ。
【請求項６】
前記駆動機構が、大歯車と、小歯車と、伝動軸とを具備し、前記大歯車と小歯車とによって一組の傘歯車構成が形成され、前記大歯車と前記弾性アームが連動し、前記伝動軸と前記小歯車が連動し、前記水切り籠が前記伝動軸に装着され、前記水切り籠と前記伝動軸との間にワンウェイベアリングが設けられていることを特徴とする請求項５に記載の足踏みモップバケツ。
【請求項７】
前記水切り籠の外フランジと前記水切り空間の筒壁の間に遮水リングが設けられていることを特徴とする請求項６に記載の足踏みモップバケツ。
【請求項８】
前記貯水桶と前記水切り桶のそれぞれに手で持ち上げるための取っ手が設けられていることを特徴とする請求項７に記載の足踏みモップバケツ。
【請求項９】
モップと、請求項１から８のいずれか１項に記載の足踏みモップバケツとを具備することを特徴とするモップセット。
【考案の詳細な説明】
【技術分野】
【０００１】
本考案は掃除用品に関し、具体的に脱水機能を持つモップセットおよびそのモップバケツに関する。
【背景技術】
【０００２】
近年、いろいろなモップが開発されている。モップは、モップヘッドが柄の部分にしっかり固定された従来型モップと、モップヘッドが機構によって柄の部分に回転自在に装着された回転モップとの２種類に大きく分けられる。
【考案の概要】
【考案が解決しようとする課題】
【０００３】
モップを使用する際に、一般的にはモップバケツに設けられた脱水機構でモップに付いた水を取り除く。前記従来型モップについては、そのモップバケツのトップ部分に水を絞り出すための漏斗が付けられている。その漏斗でモップを絞って水を絞り出す。前記回転モップについては、手で、モーターでまたは足踏みで駆動して、モップを回転させて遠心力によって脱水する。しかし、前記従来型モップでは、脱水が不充分であり、力も手間も非常にかかるという欠点がある。前記回転モップでは、構成が複雑であり、もしくはコストが高く、さらにバケツのサイズが大きくて梱包も搬送も不便である。
【０００４】
本考案の目的は足踏みモップバケツ及びモップセットを提供することである。
【課題を解決するための手段】
【０００５】
本考案に係る足踏みモップバケツは、
水を貯めるためのタンクを具備する貯水桶と、
前記貯水桶とは別に設けられ、機械構成によって前記貯水桶と着脱可能に固定連結され、前記貯水桶の前記タンクに収容できるサイズと形状を具備する水切り桶と、を備え、
前記水切り桶は、
水切り空間、及び、前記水切り空間とは隔てられた、凹みにより構成される足踏み空間を形成する桶本体と、
少なくとも一部が前記足踏み空間内に収容され、踏まれて駆動する足踏み機構と、
前記足踏み機構と連接され、回転運動を出力する駆動機構と、
前記水切り空間内に設置され、前記駆動機構の動力出力端に連接され、水が付いたものを収容する水切り籠と、を備えることを特徴とする。
【０００６】
さらに、本考案に係る足踏みモップバケツにおいて、前記貯水桶と前記水切り桶とを着脱可能に固定連結する機械構成は爪と溝とで構成されており、爪が前記貯水桶と前記水切り桶との少なくとも一方に設けられ、爪と係合する溝がもう一方に設けられていてもよい。
【０００７】
さらに、本考案に係る足踏みモップバケツにおいて、前記貯水桶の桶壁に少なくとも二つの溝が設けられ、前記水切り桶の外壁に少なくとも二つの爪が設けられ、前記爪と溝が互いに当接していてもよい。
【０００８】
さらに、本考案に係る足踏みモップバケツにおいて、前記足踏機構がスタンドと、リターンスプリングと、足踏み板とを具備し、前記スタンドが、前記水切り桶の前記足踏み空間の中に固定される基台と、前記基台から延びた弾性アームとを具備し、前記足踏み板が前記弾性アームと連接され、前記リターンスプリングの両端が前記基台と前記弾性アームとにそれぞれに当接していてもよい。
【０００９】
さらに、本考案に係る足踏みモップバケツにおいて、前記足踏み板がヒンジ軸を介して弾性アームと連結され、前記足踏み板が前記弾性アームに対して揺動し、揺動軌跡における少なくとも1つの位置で前記足踏み板が前記足踏み空間内に収容されてもよい。
【００１０】
さらに、本考案に係る足踏みモップバケツにおいて、前記駆動機構が、大歯車と、小歯車と、伝動軸とを具備し、前記大歯車と小歯車とによって一組の傘歯車構成が形成され、前記大歯車と前記弾性アームが連動し、前記伝動軸と前記小歯車が連動し、前記水切り籠が前記伝動軸に装着され、前記水切り籠と伝動軸との間にワンウェイベアリングが設けられていてもよい。
【００１１】
さらに、本考案に係る足踏みモップバケツにおいて、前記水切り籠の外フランジと前記水切り空間の筒壁の間に遮水リングが設けられていてもよい。
【００１２】
さらに、本考案に係る足踏みモップバケツにおいて、前記貯水桶と前記水切り桶のそれぞれに手で持ち上げるための取っ手が設けられていてもよい。
【００１３】
また、本考案は、モップと前記足踏みモップバケツとを具備するモップセットを提供する。
【考案の効果】
【００１４】
本考案に係るモップセット及び足踏みモップバケツにおいて、貯水桶に水を貯めてモップを洗浄する。洗浄が終わってからモップを水切り桶内の水切り籠に移動させる。ユーザが足踏み機構を踏むことにより、駆動機構が制御されて回転運動を出力し、それで水切り籠を回転させて、ハイスピードの回転による遠心力でモップを乾燥させる。貯水桶と水切り桶は別々に設けられ、簡単な機械構成で着脱可能に固定される。分離した水切り桶を貯水桶内に設置して梱包することで、製品の梱包サイズが縮小されてスペースと搬送コストを大きく削減することができる。
【図面の簡単な説明】
【００１５】
【図１】本考案に係る足踏みモップバケツの一つの実施例の構成概略図である。
【図２】本考案に係る足踏みモップバケツの一つの実施例の水切り桶が貯水桶内に設置された構成概略図である。
【図３】本考案に係る足踏みモップバケツの一つの実施例の駆動構成概略図である。
【図４】本考案に係る足踏みモップバケツの一つの実施例の足踏み空間の一つの側の概略図である。
【考案を実施するための形態】
【００１６】
以下、図面及び具体的な実施形態を参照しながら本考案をさらに説明する。
【００１７】
本考案に係るモップセットには、モップと足踏みモップバケツが含まれる。当該モップのモップヘッドは柄に対して回転することができる。このようなモップはよくあるものであり、その具体的な構成は従来例の通りである。
【００１８】
本考案に係る足踏みモップバケツは、貯水桶１と水切り桶２とを備える。水切り桶２と貯水桶１とは別に設けられ、機械構成によって着脱可能に固定されている。貯水桶１は水を貯めるためのタンク（貯水空間）１１を具備する。使用する際にモップヘッドを貯水桶１に入れて洗浄を行う。水切り桶２でモップヘッドに付いた水分を取り除く。貯水桶１で洗浄されたモップヘッドを水切り桶２に入れて水を排除する。貯水桶１と水切り桶２とは着脱可能に連結されているため、梱包と搬送の際に貯水桶１と水切り桶２とを分解して梱包することができる。例えば、水切り桶２の全体的なサイズを貯水桶１のタンクより小さくして、水切り桶２を図２のように貯水桶１の中に設置して梱包及び搬送する。これによって、製品の梱包サイズを縮小することができ、スペースと搬送コストを大きく削減することができる。
【００１９】
二つの桶を着脱可能に連結する機械構成は様々であり、本実施例では、一例として、爪と溝の構成を示している。具体的には、図２を参照すると、貯水桶１の桶壁に少なくとも二つの溝１２が設けられ、一方で水切り桶２の外壁に少なくとも二つの爪２８が設けられている。この爪２８が溝１２に当接される。勿論、貯水桶１と水切り桶２との少なくとも一方に爪が設けられ、もう一方に爪と当接される溝が設けられてもよい。即ち、貯水桶に爪が設けられ、水切り桶に溝が設けられる形態と、貯水桶に溝が設けられ、水切り桶に爪が設けられる形態と、貯水桶に溝と爪が同時に設けられ、水切り桶にも爪と溝が同時に設けられる形態とが本考案に含まれる。
【００２０】
図１〜３を参照して、水切り桶２は、桶本体２１と、足踏み機構２４と、駆動機構と、水切り籠２６とを具備する。
【００２１】
桶本体２１は、水切り空間（図２において、水切り空間は水切り籠に隠されるため、示されていない）と足踏み空間（凹み）２３とを備える。足踏み空間２３は水切り空間とは図示しない隔壁によって隔てられている。水切り空間内からの跳ね飛ぶ水滴が足踏み空間２３内に飛散するのを防止するためである。ユーザが足踏み機構２４を踏みやすくするために、足踏み空間２３は桶本体２１から露出（開放）している。
【００２２】
足踏み機構２４は足踏み空間２３の中に設けられ、スタンドと、足踏み板２４３と、リターンスプリング２４４とを備える。スタンドは、水切り桶２の足踏み空間２３内に固定された基台２４１と、基台２４１から延びた弾性アーム２４２とを具備する。足踏み板２４３が弾性アーム２４２と連接され、リターンスプリング２４４の両端は基台２４１と弾性アーム２４２とにそれぞれに当接している。弾性アーム２４２は基台２４１と一体に形成されてもよいし、基台２４１と連接されることにより固定されてもよい。足踏み板２４３は、ユーザが踏みやすくするために足踏み空間２３内から桶本体２１の外に飛び出していてもよいし、桶本体２１の内に設けてもよい。足踏み板を桶本体内に設ける場合には、ユーザが足を足踏み空間２３内に進入させて足踏み板２４３を踏むことになる。
【００２３】
駆動機構は、大歯車２５１と、小歯車２５２と、伝動軸２５３とを具備する。大歯車２５１と小歯車２５２とにより一組の傘歯車が構成されている。大歯車２５１と弾性アーム２４２が連動し、大歯車２５１が１つの軸を介して弾性アーム２４２に装着される。伝動軸２５３と小歯車２５２とは連動する。伝動軸２５３には水切り籠２６が装着され、そして水切り籠２６と伝動軸２５３との間にワンウェイベアリング（図面に示されていない）が設けられている。ユーザが下方向に足踏み板２４３を踏んで大歯車２５１を回転させると、大歯車と噛み合う小歯車が駆動されて回転する。伝動軸２５３が小歯車と連結されているため、小歯車２５２と共に伝動軸２５３が回転し、水切り籠２６を３６０度回転させて水切り籠２６内のモップヘッドを乾燥させる。ユーザが足踏み板２４３を踏んだ後、リターンスプリング２４４が自身の回復力によって弾性アーム２４２を元の位置へ復帰させる。足踏み板２４３と大歯車２５１は弾性アーム２４２と共に元の位置に戻る（位置復帰）。小歯車２５２は大歯車２５１と噛み合っているため、大歯車に駆動されて元の位置に戻る。水切り籠２６と伝動軸２５３との間に設けられているワンウェイベアリングが一方向のみの回転運動を伝達するため、水切り籠２６は慣性によって最初の運動方向のままで回転を続けて水分を取り除く。
【００２４】
更に製品のサイズを縮小するために、足踏み板２４３はヒンジ軸２４５を介して弾性アーム２４２と連結されている。足踏み板２４３は弾性アーム２４２に対して揺動し、揺動軌跡における少なくとも1つの位置で足踏み板２４３が足踏み空間２３内に収容される。図３に示すように、足踏み板２４３を上方向に回すことで、足踏み板２４３が足踏み空間２３に内蔵される。これによって、図２のように水切り桶２を貯水桶１内に設置することができる。
【００２５】
水切り籠２６で振り落とされた水滴が飛散するのを防止するために、水切り籠２６の外フランジと水切り空間の筒壁との間に遮水リング２７が設けられている。手で取りやすいように、貯水桶１と水切り桶２のそれぞれに手で持ち上げるための取っ手１３，２９が設けられる。
【００２６】
なお、上記した内容は、具体的な実施の形態を参照しながら本考案について更なるの説明であり、単なる例示に過ぎない。本考案は上述の実施形態にのみ限定されるものではない。本考案の要旨を逸脱しない範囲内において、当業者にとっては種々変更を加え得ることは勿論である。
【図１】
0003191585.tif 000003
【図２】
0003191585.tif 000004
【図３】
0003191585.tif 000005
【図４】
0003191585.tif 000006